【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
放送センター、視聴者端末、および受注センターとが結ばれたデータ通信網上で、放送センターからの有料放送、広告およびその商品属性情報を視聴し、広告商品を前記視聴者端末から発注することで、ポイントの授受が伴う電子商取引の方法であって、
前記受注センターにおいて、
前記視聴者端末から広告商品の受注をするステップと、
その受注により広告商品に応じたポイント数を計算し、前記ポイント数と受注商品のスポンサー情報を前記放送センターへ送信するステップと、
前記ポイント数を前記視聴者端末へ送信するステップと、
前記放送センターにおいて、
受信したポイント数をスポンサー情報と関連づけて蓄積するステップと、
前記視聴者端末において、
発注した商品が受信した広告の商品であるか否かを通知するステップと、
受信したポイント数を蓄積し、放送センターへの有料放送を視聴した時間を含む番組視聴課金情報から前記ポイント数分のクレジットを減算した課金情報を送信するステップと、
消費したポイント数を蓄積ポイント数から減算するステップと
を有するポイント制電子商取引方法。
【請求項２】
放送センター、視聴者端末、および受注センターとが結ばれたデータ通信網上で、放送センターからの有料放送、広告およびその商品属性情報を視聴し、広告商品を前記視聴者端末から発注することで、ポイントの授受が伴う電子商取引の方法であって、
前記受注センターにおいて、
前記視聴者端末から広告商品の受注をするステップと、
その受注により広告商品に応じたポイント数を計算し、前記ポイント数と受注商品のスポンサー情報を前記放送センターへ送信するステップと、
前記ポイント数を前記視聴者端末へ送信するステップと、
前記放送センターにおいて、
受信したポイント数をスポンサー情報と関連づけて蓄積するステップと、
受信したポイント数分のクレジットを番組視聴課金情報から減算するステップと、
消費させたポイント数を視聴者端末へ送信するステップと、
前記視聴者端末において、
発注した商品が受信した広告の商品であるか否かを通知するステップと、
受信したポイント数を蓄積し、前記放送センターへ蓄積ポイント数を送信するステップと、
受信した消費ポイント数を蓄積ポイント数から減算するステップと
を有するポイント制電子商取引方法。
【請求項３】
有料放送の受信料を顧客毎に管理する有料放送顧客管理センターと、視聴者端末と、受注センターとが結ばれたデータ通信網上で、放送センターからの有料放送、広告およびその商品属性情報を視聴し、広告商品を前記視聴者端末から発注することで、ポイントの授受が伴う電子商取引の方法であって、
前記受注センターにおいて、
前記視聴者端末から広告商品の受注をするステップと、
その受注により広告商品に応じたポイント数を計算し、前記ポイント数、受注商品のスポンサー情報、および発注元の視聴者情報を前記有料放送顧客管理センターへ送信するステップと、
前記有料放送顧客管理センターにおいて、
受信したポイント数をスポンサー情報および視聴者情報と関連づけて蓄積するステップと、
前記視聴者端末から受信した番組視聴課金情報から、同じ視聴者情報と関連づけて蓄積されたポイント数分のクレジットを減算すると共に、消費したポイント数を前記視聴者情報と関連づけて蓄積されたポイント数から減算するステップと、
前記視聴者端末において、
発注した商品が受信した広告の商品であるか否かを通知するステップと、
有料放送を視聴した時間を含む番組視聴課金情報を、前記有料放送顧客管理センターへ送信するステップと
を有するポイント制電子商取引方法。
【請求項４】
前記視聴者端末において、前記放送センターからの広告を視聴したことを記憶する広告視聴記憶ステップと、
視聴者が発注した商品が前記広告視聴記憶ステップで記憶された商品属性情報に適合する商品かを判定するステップと、
前記記憶された商品属性情報に適合する商品であると判定した場合の発注において、商品視聴有り情報を添付するステップと、
前記受注センターにおいて、前記視聴者端末からの受注に商品視聴有り情報が添付されている場合のみポイントを発行するステップと
を有することを特徴とする請求項１乃至３に記載のポイント制電子商取引方法。
【請求項５】
広告にポイント有無を含む商品属性情報を添付する商品属性添付手段と、
前記商品属性情報が添付された広告を放送する放送手段とを備える放送センターと、
前記商品の受注に応じてポイント数を発生するポイント数発生手段と、
前記ポイント数とスポンサー情報を関連づけて蓄積する企業ポイント蓄積手段と、
前記ポイント数および、前記企業ポイント蓄積手段で蓄積されたポイント数と前記スポンサー情報を送信するポイント情報送信手段とを備える受注センターと、
前記広告を受信する映像受信手段と、前記広告を表示する映像表示手段と、前記表示した広告の商品属性情報を蓄積する属性情報蓄積手段と、前記商品属性情報に適合した商品を視聴者が前記受注センターへ発注する発注手段と、前記ポイント情報送信手段からポイント数を受信し、蓄積するポイント蓄積手段と、
前記ポイント数分のクレジットを有料放送に対する課金情報から減算するポイント交換手段と、
前記ポイント交換手段により減算した課金情報を放送センターへ送信する手段と、
前記課金情報を減算するのに消費したポイント数を、前記ポイント蓄積手段から減算し、蓄積ポイント数と置換する蓄積ポイント残数更新手段とを備える視聴者端末と、
を有するポイント制電子商取引システム。
【請求項６】
広告にポイント有無を含む商品属性情報を添付する商品属性添付手段と、
前記商品属性情報が添付された広告を放送する放送手段と、
視聴者端末に蓄積されたポイント数および有料放送を視聴した時間を含む番組視聴課金情報を受信し、前記ポイント数に応じて、番組視聴課金情報から減算するポイント交換手段と、
前記課金情報を減算するのに消費したポイント数を視聴者端末へ送信する消費ポイント数通知手段とを備える放送センターと、
商品の受注に応じてポイント数を発生するポイント数発生手段と、前記ポイント数とスポンサー情報を関連づけて蓄積する企業ポイント蓄積手段と、前記ポイント数および、前記企業ポイント蓄積手段で蓄積されたポイント数とスポンサー情報を送信するポイント情報送信手段とを備える受注センターと、
前記広告を受信する映像受信手段と、
前記広告を表示する映像表示手段と、
前記表示した広告の商品属性情報を蓄積する属性情報蓄積手段と、
前記商品属性情報に適合した商品を視聴者が発注する発注手段と、
前記ポイント情報送信手段からポイント数を受信し、蓄積するポイント蓄積手段と、
前記ポイント蓄積手段に蓄積されたポイント数および有料放送を視聴した時間を含む番組視聴課金情報を放送センターへ送信する蓄積ポイント数送信手段と、
前記消費ポイント数通知手段から受信した消費ポイント数を、前記ポイント蓄積手段から減算し、蓄積ポイント数と置換する蓄積ポイント残数更新手段とを備える視聴者端末と
を有するポイント制電子商取引システム。
【請求項７】
広告にポイント有無を含む商品属性情報を添付する商品属性添付手段と、
前記商品属性情報が添付された広告を放送する放送手段とを備える放送センターと、
前記広告を受信する映像受信手段と、
前記広告を表示する映像表示手段と、
前記表示した広告の商品属性情報を蓄積する属性情報蓄積手段と、
前記商品属性情報に適合した商品を視聴者が受注センターに発注する発注手段と、
有料放送を視聴した時間を含む番組視聴課金情報を、有料放送顧客管理センターに送信する蓄積ポイント数送信手段とを備える視聴者端末と、
前記商品の受注に応じてポイント数を発生するポイント数発生手段と、
前記ポイント数、スポンサー情報、および発注元の視聴者情報を前記有料放送顧客管理センターに送信するポイント情報送信手段とを備える受注センターと、
前記ポイント情報送信手段から受信したポイント数を、同じく受信したスポンサー情報と視聴者情報に関連づけてそれぞれ蓄積するポイント蓄積手段と、
前記番組視聴課金情報から、同じ視聴者情報と関連づけて蓄積されたポイント数分のクレジットを減算するポイント交換手段と、
前記課金情報を減算するのに消費したポイント数を、前記ポイント蓄積手段の内の前記視聴者情報に対応したポイント残数から減算し、蓄積ポイント数と置換する蓄積ポイント残数更新手段とを備える有料放送顧客管理センターと、
を有するポイント制電子商取引システム。
【請求項８】
放送を受信する受信部と、
前記受信部で受信した信号から広告ポイント有無を含む商品属性情報を抽出する属性情報抽出部と、
前記属性情報抽出部で抽出された商品属性情報を蓄積する属性情報記憶部と、
視聴者が発注したい商品を指定する商品指定部と、
前記商品が前記属性情報記憶部に記憶されている商品属性情報に適合することを判定する注文商品判定部と、
前記注文商品判定部により適合するとされた場合に、発注情報とポイント要求情報を出力するポイント商品発注部と、
前記ポイント商品発注部からの発注に応じて受注側から授けられるポイント数を受信するポイント数受信部と、
前記ポイント数受信部で受信したポイント数を蓄積する獲得ポイント蓄積部と、有料放送の課金情報から、前記獲得ポイント蓄積部で蓄積しているポイント数を減算した課金情報を放送配信元へ送信する課金情報送信部と、
前記課金に充当させたポイント数を獲得ポイントから減算する獲得ポイント演算部と
を有する放送受信装置。
【請求項９】
放送を受信する受信部と、
前記受信部で受信した信号から広告ポイント有無を含む商品属性情報を抽出する属性情報抽出部と、
前記属性情報抽出部で抽出された商品属性情報を蓄積する属性情報記憶部と、
視聴者が発注したい商品を指定する商品指定部と、
前記商品が前記属性情報記憶部に記憶されている商品属性情報に適合することを判定する注文商品判定部と、
前記注文商品判定部により適合するとされた場合に、発注情報とポイント要求情報を出力するポイント商品発注部と、
前記ポイント商品発注部からの発注に応じて受注側から授けられるポイント数を受信するポイント数受信部と、
前記ポイント数受信部で受信したポイント数を蓄積する獲得ポイント蓄積部と、有料放送の課金情報と、前記獲得ポイント蓄積部で蓄積しているポイント数を放送配信元へ送信する課金ポイント情報送信部と、
前記課金に充当させたポイント数を受信し、受信した課金充当分のポイント数を獲得ポイントから減算する獲得ポイント演算部と
を有する放送受信装置。
【請求項１０】
放送を受信する受信部と、
前記受信部で受信した信号から広告ポイント有無を含む商品属性情報を抽出する属性情報抽出部と、
前記属性情報抽出部で抽出された商品属性情報を蓄積する属性情報記憶部と、
視聴者が発注したい商品を指定する商品指定部と、
前記商品が前記属性情報記憶部に記憶されている商品属性情報に適合することを判定する注文商品判定部と、
前記注文商品判定部により適合するとされた場合に、発注情報とポイント要求情報を出力するポイント商品発注部と、
有料放送の課金情報を送信する課金情報送信部と
を有する放送受信装置。
【請求項１１】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
前記ポイント商品発注ステップからの発注に応じて受注側から受信したポイント数を蓄積するポイント蓄積ステップと、
有料放送の番組視聴課金情報から、蓄積している前記ポイント数分のクレジットを減算した課金情報を、視聴者毎に有料放送の課金を管理しているセンターへ送信する課金情報送信ステップと、
蓄積している前記ポイント数を、前記課金に充当させたポイント数分減算したポイント数に更新するポイント残数更新ステップと
を有する放送受信方法。
【請求項１２】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
前記ポイント商品発注ステップからの発注に応じて受注側から受信したポイント数を蓄積するポイント蓄積ステップと、
有料放送の課金情報と、蓄積している前記ポイント数を、視聴者毎に有料放送の課金を管理しているセンターへ送信する課金ポイント情報送信ステップと、
前記課金に充当させたポイント数を受信し、受信した課金充当分のポイント数を獲得ポイントから減算する獲得ポイント演算ステップと
を有する放送受信方法。
【請求項１３】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
有料放送の課金情報を、視聴者毎に有料放送の課金を管理しているセンターへ送信する課金情報送信ステップと
を有する放送受信方法。
【請求項１４】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
前記ポイント商品発注ステップからの発注に応じて受注側から受信したポイント数を蓄積するポイント蓄積ステップと、
有料放送の番組視聴課金情報から、蓄積している前記ポイント数分のクレジットを減算した課金情報を、視聴者毎に有料放送の課金を管理しているセンターへ送信する課金情報送信ステップと、
蓄積している前記ポイント数を、前記課金に充当させたポイント数分減算したポイント数に更新するポイント残数更新ステップと
を備えるプログラム。
【請求項１５】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
前記ポイント商品発注ステップからの発注に応じて受注側から受信したポイント数を蓄積するポイント蓄積ステップと、
有料放送の課金情報と、蓄積している前記ポイント数を、視聴者毎に有料放送の課金を管理しているセンターへ送信する課金ポイント情報送信ステップと、
前記課金に充当させたポイント数を受信し、受信した課金充当分のポイント数を獲得ポイントから減算する獲得ポイント演算ステップと
を備えるプログラム。
【請求項１６】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
有料放送の課金情報を、視聴者毎に有料放送の課金を管理しているセンターへ送信する課金情報送信ステップと
を備えるプログラム。
【請求項１７】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
前記ポイント商品発注ステップからの発注に応じて受注側から受信したポイント数を蓄積するポイント蓄積ステップと、
有料放送の番組視聴課金情報から、蓄積している前記ポイント数分のクレジットを減算した課金情報を、視聴者毎に有料放送の課金を管理しているセンターへ送信する課金情報送信ステップと、
蓄積している前記ポイント数を、前記課金に充当させたポイント数分減算したポイント数に更新するポイント残数更新ステップと
を備えるプログラムを提供する記憶媒体。
【請求項１８】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
前記ポイント商品発注ステップからの発注に応じて受注側から受信したポイント数を蓄積するポイント蓄積ステップと、
有料放送の課金情報と、蓄積している前記ポイント数を、視聴者毎に有料放送の課金を管理しているセンターへ送信する課金ポイント情報送信ステップと、
前記課金に充当させたポイント数を受信し、受信した課金充当分のポイント数を獲得ポイントから減算する獲得ポイント演算ステップと
を備えるプログラムを提供する記憶媒体。
【請求項１９】
受信した放送から広告ポイント有無を含む商品属性情報を抽出する属性情報抽出ステップと、
前記属性情報抽出ステップで抽出された商品属性情報を蓄積する属性情報記憶ステップと、
視聴者が発注するとして指定した商品が、記憶されている商品属性情報に適合することを判定する注文商品判定ステップと、
前記注文商品判定ステップにより適合するとされた場合に、発注情報とポイント要求情報を出力するポイント商品発注ステップと、
有料放送の課金情報を、視聴者毎に有料放送の課金を管理しているセンターへ送信する課金情報送信ステップと
を備えるプログラムを提供する記憶媒体。